【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
被検体への、互いに異なる複数の波長の光照射を含む複数回の光照射により、前記被検体から発生する音響波がトランスデューサにより受信されることにより得られた信号に基づいて画像データを生成する演算部と、
前記画像データに基づいた画像を表示部に表示させる表示制御部と、
を有し、
前記演算部は、前記複数回の光照射が完了する前に、前記複数の波長のいずれか１つの波長の光照射に対応する前記信号を用いて第１の画像データを生成し、
前記表示制御部は、前記複数回の光照射が完了する前に、前記第１の画像データに基づいた画像を前記表示部に表示させ、
前記演算部は、前記複数回の光照射が完了した後に、前記複数の波長の前記複数回の光照射に対応する前記信号を用いて第２の画像データを生成し、
前記表示制御部は、前記複数回の光照射が完了した後に、前記第２の画像データに基づいた画像を前記表示部に表示させる
ことを特徴とする情報取得装置。
【請求項２】
複数回の光照射が完了する前に、前記トランスデューサを移動させる移動部をさらに有し、
前記トランスデューサは、前記移動部により移動した複数の受信位置で前記音響波を受信し、
前記演算部は、
前記一部の光照射に対応する前記信号として、前記複数の受信位置の一部の受信位置に対応する信号を用いて、前記第１の画像データを生成し、
前記一部の光照射よりも多くの光照射に対応する前記信号として、前記一部の受信位置よりも多くの受信位置に対応する前記信号を用いて、前記第２の画像データを生成することを特徴とする請求項１に記載の情報取得装置。
【請求項３】
複数の前記トランスデューサを、高感度領域が形成されるように支持する支持体をさらに有する
ことを特徴とする請求項２に記載の情報取得装置。
【請求項４】
前記演算部は、前記高感度領域に対応する前記第１の画像データを生成する
ことを特徴とする請求項３に記載の情報取得装置。
【請求項５】
前記第１の画像データの表示においては、前記トランスデューサの位置が変化するにつれて、表示済みの画像に前記高感度領域に対応する画像が付加されていく
ことを特徴とする請求項４に記載の情報取得装置。
【請求項６】
前記信号を、前記光照射と対応させて保存する記憶部と、
前記記憶部に記憶された信号から、所定の光照射により発生した音響波に対応する前記信号を選択する選択部と、
をさらに有し、
前記演算部は、前記選択部により選択された前記信号を用いて前記画像データを生成する
ことを特徴とする請求項１に記載の情報取得装置。
【請求項７】
前記信号を、前記トランスデューサの位置と対応させて保存する記憶部と、
前記トランスデューサの位置に基づいて、前記記憶部に保存された信号から前記信号を選択する選択部と、
をさらに有し、
前記演算部は、前記選択部によって選択された前記信号を用いて前記画像データを生成する
ことを特徴とする請求項１に記載の情報取得装置。
【請求項８】
前記演算部は、前記第１の画像データとして初期音圧分布、光エネルギー吸収密度分布、または吸収係数分布を示す画像データを生成し、前記第２の画像データとして前記被検体を構成する物質の濃度分布を示す画像データを生成する
ことを特徴とする請求項１ないし７のいずれか１項に記載の情報取得装置。
【請求項９】
前記濃度分布は、酸化ヘモグロビン濃度分布、還元ヘモグロビン濃度分布、または酸素飽和度分布を含む、ことを特徴とする請求項８に記載の情報取得装置。
【請求項１０】
前記演算部は、前記複数の波長の光照射ごとに、当該光照射に対応する前記信号を用いて、前記第１の画像データを生成し、
前記表示制御部は、前記複数の波長の光照射ごとの前記第１の画像データに基づいた画像を前記表示部に表示させる
ことを特徴とする請求項１ないし９のいずれか１項に記載の情報取得装置。
【請求項１１】
被検体への、互いに異なる複数の波長の光照射を含む複数回の光照射により、前記被検体から発生する音響波がトランスデューサにより受信されることにより得られた信号に基づいて画像データを生成する演算部と、
前記画像データに基づいた画像を表示部に表示させる表示制御部と、
を有し、
前記演算部は、前記複数回の光照射が完了する前に、前記信号に基づいて、初期音圧分布、光エネルギー吸収密度分布、または吸収係数分布を示す第１の画像データを生成し、
前記表示制御部は、前記複数回の光照射が完了する前に、前記第１の画像データに基づいた画像を前記表示部に表示させ、
前記演算部は、前記複数回の光照射が完了した後に、前記信号に基づいて、前記被検体を構成する物質の濃度分布を示す第２の画像データを生成し、
前記表示制御部は、前記複数回の光照射が完了した後に、前記第２の画像データに基づ
いた画像を前記表示部に表示させる
ことを特徴とする情報取得装置。
【請求項１２】
被検体への、互いに異なる複数の波長の光照射を含む複数回の光照射により、前記被検体から発生する音響波がトランスデューサにより受信されることにより得られた信号に基づいて生成された画像の表示方法であって、
前記複数回の光照射が完了する前に、前記複数の波長のいずれか１つの波長の光照射に対応する前記信号を用いて第１の画像データを生成し、
前記複数回の光照射が完了する前に、前記第１の画像データに基づいた画像を表示部に表示させ、
前記複数回の光照射が完了した後に、前記複数の波長の前記複数回の光照射に対応する前記信号を用いて第２の画像データを生成し、
前記複数回の光照射が完了した後に、前記第２の画像データに基づいた画像を前記表示部に表示させる
ことを特徴とする表示方法。
【請求項１３】
被検体への、互いに異なる複数の波長の光照射を含む複数回の光照射により、前記被検体から発生する音響波がトランスデューサにより受信されることにより得られた信号に基づいて生成された画像の表示方法であって、
前記複数回の光照射が完了する前に、前記信号に基づいて、初期音圧分布、光エネルギー吸収密度分布、または吸収係数分布を示す第１の画像データを生成し、
前記複数回の光照射が完了する前に、前記第１の画像データに基づいた画像を表示部に表示させ、
前記複数回の光照射が完了した後に、前記信号に基づいて、前記被検体を構成する物質の濃度分布を示す第２の画像データを生成し、
前記複数回の光照射が完了した後に、前記第２の画像データに基づいた画像を前記表示部に表示させる
ことを特徴とする表示方法。
【請求項１４】
請求項１２または１３に記載の表示方法をコンピュータに実行させるプログラム。
【手続補正２】
【補正対象書類名】明細書
【補正対象項目名】発明の名称
【補正方法】変更
【補正の内容】
【発明の名称】情報取得装置および表示方法
【手続補正３】
【補正対象書類名】明細書
【補正対象項目名】０００８
【補正方法】変更
【補正の内容】
【０００８】
本発明は、以下の構成を採用する。すなわち、
被検体への、互いに異なる複数の波長の光照射を含む複数回の光照射により、前記被検体から発生する音響波がトランスデューサにより受信されることにより得られた信号に基づいて画像データを生成する演算部と、
前記画像データに基づいた画像を表示部に表示させる表示制御部と、
を有し、
前記演算部は、前記複数回の光照射が完了する前に、前記複数の波長のいずれか１つの波長の光照射に対応する前記信号を用いて第１の画像データを生成し、
前記表示制御部は、前記複数回の光照射が完了する前に、前記第１の画像データに基づいた画像を前記表示部に表示させ、
前記演算部は、前記複数回の光照射が完了した後に、前記複数の波長の前記複数回の光照射に対応する前記信号を用いて第２の画像データを生成し、
前記表示制御部は、前記複数回の光照射が完了した後に、前記第２の画像データに基づいた画像を前記表示部に表示させる
ことを特徴とする情報取得装置である。
本発明はまた、以下の構成を採用する。すなわち、
被検体への、互いに異なる複数の波長の光照射を含む複数回の光照射により、前記被検体から発生する音響波がトランスデューサにより受信されることにより得られた信号に基づいて画像データを生成する演算部と、
前記画像データに基づいた画像を表示部に表示させる表示制御部と、
を有し、
前記演算部は、前記複数回の光照射が完了する前に、前記信号に基づいて、初期音圧分布、光エネルギー吸収密度分布、または吸収係数分布を示す第１の画像データを生成し、
前記表示制御部は、前記複数回の光照射が完了する前に、前記第１の画像データに基づいた画像を前記表示部に表示させ、
前記演算部は、前記複数回の光照射が完了した後に、前記信号に基づいて、前記被検体を構成する物質の濃度分布を示す第２の画像データを生成し、
前記表示制御部は、前記複数回の光照射が完了した後に、前記第２の画像データに基づいた画像を前記表示部に表示させる
ことを特徴とする情報取得装置である。
本発明はまた、以下の構成を採用する。すなわち、
被検体への、互いに異なる複数の波長の光照射を含む複数回の光照射により、前記被検体から発生する音響波がトランスデューサにより受信されることにより得られた信号に基づいて生成された画像の表示方法であって、
前記複数回の光照射が完了する前に、前記複数の波長のいずれか１つの波長の光照射に対応する前記信号を用いて第１の画像データを生成し、
前記複数回の光照射が完了する前に、前記第１の画像データに基づいた画像を表示部に表示させ、
前記複数回の光照射が完了した後に、前記複数の波長の前記複数回の光照射に対応する前記信号を用いて第２の画像データを生成し、
前記複数回の光照射が完了した後に、前記第２の画像データに基づいた画像を前記表示部に表示させる
ことを特徴とする表示方法である。
本発明はまた、以下の構成を採用する。すなわち、
被検体への、互いに異なる複数の波長の光照射を含む複数回の光照射により、前記被検体から発生する音響波がトランスデューサにより受信されることにより得られた信号に基づいて生成された画像の表示方法であって、
前記複数回の光照射が完了する前に、前記信号に基づいて、初期音圧分布、光エネルギー吸収密度分布、または吸収係数分布を示す第１の画像データを生成し、
前記複数回の光照射が完了する前に、前記第１の画像データに基づいた画像を表示部に表示させ、
前記複数回の光照射が完了した後に、前記信号に基づいて、前記被検体を構成する物質の濃度分布を示す第２の画像データを生成し、
前記複数回の光照射が完了した後に、前記第２の画像データに基づいた画像を前記表示部に表示させる
ことを特徴とする表示方法である。